(57)【特許請求の範囲】
【請求項１】
二輪車における車体側と車輪側との間に配設されて伸縮可能とされる伸縮体と、この伸縮体の外部に配設されて伸縮体の伸縮作動時に伸縮体との間で作動油の流出入を許容するアキュムレータと、このアキュムレータと伸縮体とを連結しながら伸縮体内とアキュムレータ内とを連通する作動油の流路を形成させるハウジング部とを有してなる二輪車における後輪懸架装置において、ハウジング部における作動油の流路に伸縮体の収縮作動時に所定のクラッキング圧になると開放作動して伸縮体内の作動油のアキュムレータ内への流入を許容する圧側減衰バルブが配設されてなると共に、ハウジング部に圧側減衰バルブを迂回してアキュムレータに連通するバイパス路が形成されてなり、このバイパス路にこのバイパス路の開閉を可能にする開閉弁と、この開閉弁の上流側に直列に設けられて流路面積を可変にする絞り流路とが配設されてなると共に、開閉弁が外部信号の入力で開閉作動してなることを特徴とする二輪車における後輪懸架装置。
【請求項２】
開閉弁が尖端部をバイパス路中に臨在させて外部信号の入力による作動時にバイパス路を閉鎖するニードル体を有すると共に、このニードル体が外部信号の入力時および外部信号の解除時にハウジング部に対し出没されてなる請求項１に記載の二輪車における後輪懸架装置。
【請求項３】
絞り流路がバイパス路の途中に設けられて背後に連繋したアジャスタの回動操作で移動するニードル体からなる絞り構造で構成され、開閉弁がハウジング部に出没自在に保持されると共に、ソレノイドへの通電時に前進し、非通電時に後退するニードル体で構成されている請求項１又は２に記載の二輪車における後輪懸架装置。
【請求項４】
圧側減衰バルブに対して圧側チェック弁を直列に配置させている請求項１、２又は３に記載の二輪車における後輪懸架装置。
【請求項５】
ハウジング部がアキュムレータを一体に有しながら伸縮体の端部部材を形成してなる請求項１、２、３、又は４に記載の二輪車における後輪懸架装置。
【請求項６】
伸縮体が車輪側部材とされるシリンダ体内に車体側部材とされるロッド体を出没可能に挿通させてなる一方で、シリンダ体内に摺動可能に収装されながらシリンダ体内に臨在されるロッド体の端部に保持されてシリンダ体内にロッド側室とピストン側室を画成するピストン体を有してなり、ピストン体がロッド側室とピストン側室の連通を許容する伸側減衰バルブとこの伸側減衰バルブに並列する伸側チェック弁を有してなる請求項１、２、３、４又は５に記載の二輪車における後輪懸架装置。
【請求項７】
伸縮体がこの伸縮体を伸長方向に附勢する懸架バネを外装させてなる請求項１、２、３、４、５又は６に記載の二輪車における後輪懸架装置。
【発明の詳細な説明】
【技術分野】
【０００１】
この発明は、二輪車における後輪懸架装置に関し、特に、二輪車のスタートダッシュ時などの急加速時におけるスクウォート現象の発現の阻止に向く二輪車における後輪懸架装置の改良に関する。
【背景技術】
【０００２】
二輪車たる、たとえば、ダウンヒル仕様の自転車にあっては、走行時の衝撃を緩和するために油圧緩衝器からなるフロントフォークで前輪懸架装置を構成すると共に、同じく油圧緩衝器などからなるいわゆるクッションユニットで後輪懸架装置を構成することが多い。
【０００３】
そして、この後輪懸架装置を構成するものとして従来から種々の提案があるが、その中で、たとえば、特許文献１には、自転車の乗り心地の改良に向く気体ばねの提案が開示されている。
【０００４】
すなわち、この特許文献１に開示の気体ばねは、車輪側部材とされるシリンダ体内に車体側部材とされるロッド体が出没可能に挿通されてなると共に、シリンダ体内に臨在するロッド体の端部にシリンダ体内に摺動可能に収装のピストン体が連設されるなどで保持されてなるとし、このピストン体は、シリンダ体内に大きい容量となるピストン側室と小さい容量となるロッド側室とを画成するとしている。
【０００５】
そして、この気体ばねにあっては、ピストン側室とロッド側室が、たとえば、シリンダ体外に配設される切換バルブを介して連通されてなるとしており、切換バルブを遮断状態にするとき、ピストン側室のみが収縮されてばね力を発揮し、また、切換バルブを連通状態にするとき、ピストン側室とロッド側室の両方が収縮されてばね力を発揮するとしている。
【０００６】
それゆえ、この特許文献１に開示の提案にあっては、たとえば、自転車のペダルを踏む動作たるペタリング動作に応じて切換バルブを連通状態あるいは遮断状態に切り換えることで、大きいばね力あるいは小さいばね力の選択を可能にして自転車における乗り心地を改善し得ると共に、特に、大きいばね力を選択する場合には、自転車のスタートダッシュ時などの急加速時におけるスクウォート現象の発現をも阻止し得ると言い得ることになる。
【特許文献１】特開２００５‐４８１７９号公報（明細書中の段落００１３〜同００１５，同００７４，図１）
【発明の開示】
【発明が解決しようとする課題】
【０００７】
しかしながら、上記した特許文献１に開示の気体ばねにあっては、自転車の乗り心地を良くする点ではなんら問題はないが、自転車のスタートダッシュ時などの急加速時におけるスクウォート現象の発現の阻止に関しては些か問題があると指摘される可能性がある。
【０００８】
すなわち、特許文献１に開示されているところでは、二輪車たる自転車の後輪懸架装置を構成するのが気体ばねであるから、ばね力を大きくするためにいわゆる気体室の容量を小さくするとしても、同じ流体たる液体に比較して圧縮比が２以上となる分この気体ばねにおいて気体室の収縮を阻止するいわゆるロック現象の発現が困難になる。
【０００９】
それゆえ、自転車のスタートダッシュ時などの急加速時を観察すると、ライダーは、勢いをつけながら全体重をペダルに架けるようにするから、気体ばねにあって切換バルブが切り換えられて大きいばね力を発揮する状態にあるとしても、気体ばねがさらに収縮することになり、ロック現象を発現し得ないことになる。
【００１０】
その結果、自転車のライダーにあっては、勢いをつけながら全体重をペダルに架けるようにするペタリング動作でスタートダッシュなどの急加速を試みても、いわゆる力抜けとも称されるロス感を体感することになると指摘される可能性がある。
【００１１】
この発明は、上記した事情を鑑みて創案されたものであって、その目的とするところは、自転車における乗り心地を改善し得るのはもちろんのこと、自転車におけるスタートダッシュなどの急加速を効果的に実現し得るようにして、その汎用性の向上を期待できる二輪車における後輪懸架装置を提供することである。
【課題を解決するための手段】
【００１２】
上記した目的を達成するために、本発明の手段は、二輪車における車体側と車輪側との間に配設されて伸縮可能とされる伸縮体と、この伸縮体の外部に配設されて伸縮体の伸縮作動時に伸縮体との間で作動油の流出入を許容するアキュムレータと、このアキュムレータと伸縮体とを連結しながら伸縮体内とアキュムレータ内とを連通する作動油の流路を形成させるハウジング部とを有してなる二輪車における後輪懸架装置において、ハウジング部における作動油の流路に伸縮体の収縮作動時に所定のクラッキング圧になると開放作動して伸縮体内の作動油のアキュムレータ内への流入を許容する圧側減衰バルブが配設されてなると共に、ハウジング部に圧側減衰バルブを迂回してアキュムレータに連通するバイパス路が形成されてなり、このバイパス路にこのバイパス路の開閉を可能にする開閉弁と、この開閉弁の上流側に直列に設けられて流路面積を可変にする絞り流路とが配設されてなると共に、開閉弁が外部信号の入力で開閉作動してなることを特徴とするものである。
この場合、開閉弁が尖端部をバイパス路中に臨在させて外部信号の入力による作動時にバイパス路を閉鎖するニードル体を有すると共に、このニードル体が外部信号の入力時および外部信号の解除時にハウジング部に対し出没されてなるのが好ましい。
同じく、絞り流路がバイパス路の途中に設けられて背後に連繋したアジャスタの回動操作で移動するニードル体からなる絞り構造で構成され、開閉弁がハウジング部に出没自在に保持されると共に、ソレノイドへの通電時に前進し、非通電時に後退するニードル体で構成されているのが好ましい。
同じく、圧側減衰バルブに対して圧側チェック弁を直列に配置させているのが好ましい。
同じく、
ハウジング部がアキュムレータを一体に有しながら伸縮体の端部部材を形成していても良い。
同じく、伸縮体が車輪側部材とされるシリンダ体内に車体側部材とされるロッド体を出没可能に挿通させてなる一方で、シリンダ体内に摺動可能に収装されながらシリンダ体内に臨在されるロッド体の端部に保持されてシリンダ体内にロッド側室とピストン側室を画成するピストン体を有してなり、ピストン体がロッド側室とピストン側室の連通を許容する伸側減衰バルブとこの伸側減衰バルブに並列する伸側チェック弁を有しているものでも良い。
【発明の効果】
【００１３】
各請求項の発明によれば、次の効果を達成できる。
圧側減衰バルブを迂回するバイパス路に絞り流路を配設しているので、伸縮体側からに流入する作動油における油圧がいわゆる低い場合には、この絞り流路を介して作動油がバイパス路に流出することになり、この絞り流路を通過できないほどに伸縮体側からの油圧が高くなる時に圧側減衰バルブを開放作動させ、所謂クラッキング圧が設定される。
そして、所定のクラッキング圧になると開放作動して伸縮体内の作動油のアキュムレータ内への流入を許容する圧側減衰バルブを有してなるから、伸縮体の作動で伸縮体から流出される作動油が圧側減衰バルブを介してアキュムレータに流入するときに、所定の圧側減衰力が発生されることになる。
【００１４】
その一方で、上記バイパス路にこのバイパス路の開閉を可能にする開閉弁が配設されてなり、かつ、この開閉弁が外部信号の入力でバイパス路を閉鎖し得るとするから、圧側減衰バルブがクラッキング圧を超える油圧作用で開放作動することになるまで、伸縮体の収縮作動が阻止されることになる。
【００１５】
このとき、開閉弁は、圧側減衰バルブのクラッキング圧を超えない油圧下にあるバイパス路を閉塞するとするから、この開閉弁が圧側減衰バルブとアキュムレータとを連通する流路を、すなわち、バイパス路と比較すれば高圧下となる流路を直接閉鎖する場合に比較して、開閉弁の構成をより小さくできると共に、開閉弁の作動をより小さい外力作用で具現化できることになる。
【００１６】
そして、開閉弁に入力される信号が、たとえば、自転車等の二輪車におけるペタリング動作に起因する設定とされるとき、自転車におけるスタートダッシュ時などの急加速時におけるスクウォート現象の発現を阻止し得ることになる。
また、一方、伸縮体が収縮作動し得ない所謂ロック状態にあるときに、たとえば、自転車が路面突起を乗り越えるなどでして突き上げ作用を受ける場合には、伸縮体における油圧が圧側減衰バルブのクラッキング圧を超えることになり、したがって、圧側減衰バルブが開放作動して、すなわち、リリーフ作動して伸縮体からの作動油をアキュムレータに流出させる、すなわち、伸縮体が突き上げによる衝撃を緩和する。
請求項３の発明によれば、絞り流路における流路面積をこの絞り流路を構成させるニードル体の進退で変更できるから、圧側減衰バルブのクラッキング圧以下となる作動領域の乗り心地をいわゆるハード仕様にするかソフト仕様にするかの選択を可能にし得る。
同じく、請求項３の発明によれば、バイパス路におけるいわゆる高圧化で開閉弁におけるニードル体がソレノイドの励磁力に抗して後退し得るように設定して伸縮体側における高圧を開閉弁を介してアキュムレータに開放し得ることができ、この場合には、圧側減衰バルブにおけるリリーフ作動に加えていわゆるダブルのリリーフ機能を達成して突き上げ感を体感させないようにすることが出来る。
【発明を実施するための最良の形態】
【００１７】
以下に、図示した実施形態に基づいて、この発明を説明するが、図示するところは、この発明による二輪車における後輪懸架装置が二輪車たる自転車の後輪側にあって車体側と車輪側との間に配設されるクッションユニットたる油圧緩衝器を構成するとしている。
【００１８】
そこで、以下には、この油圧緩衝器について説明しながら、この発明による二輪車における後輪懸架装置について説明するが、油圧緩衝器は、図１に示すように、自転車（図示せず）における車体（図示せず）側と車輪（図示せず）側との間に配設されて伸縮可能とされる伸縮体１と、この伸縮体１の外部に配設されて伸縮体１の伸縮作動時に伸縮体１との間で作動油の流出入を許容するアキュムレータ２とを有してなるとしている。
【００１９】
伸縮体１は、車輪側部材とされるシリンダ体１１内に車体側部材とされるロッド体（図示せず）を懸架ばね１２の配設下に出没可能に挿通させてなり、懸架ばね１２の附勢力でロッド体がシリンダ体１１内から突出する方向に、すなわち、伸長方向に附勢されてなるとしている。
【００２０】
そして、この伸縮体１は、シリンダ体１１内に摺動可能に収装されながらシリンダ体１１内に臨在されるロッド体の端部に保持されてシリンダ体１１内にロッド側室(図示せず)とピストン側室Ｒを画成するピストン体(図示せず)を有してなり、ピストン体がロッド側室とピストン側室Ｒの連通を許容する伸側減衰バルブ(図示せず)とこの伸側減衰バルブに並列する伸側チェック弁(図示せず)を有してなるとしている。
【００２１】
それゆえ、この伸縮体１にあっては、シリンダ体１１内をピストン体が上昇する伸長作動時には、シリンダ体１１内のロッド側室にある作動油がピストン体に配設の伸側減衰バルブを介してピストン側室Ｒに流出され、伸側減衰バルブによって所定の伸側減衰力が発生されることになる。
【００２２】
このとき、ピストン側室Ｒにおいては、ロッド体の退出体積分に相当する量の作動油が不足することになるが、この不足する量の作動油については、後述するようにして、アキュムレータ２からピストン側室Ｒに補充される。
【００２３】
一方、この伸縮体１にあって、シリンダ体１１内をピストン体が下降する収縮作動時には、シリンダ体１１内のピストン側室Ｒにある作動油がピストン体に配設の伸側チェック弁を介してロッド側室に流入され、このとき、ピストン側室Ｒで余剰となるロッド体の侵入体積分に相当する量の作動油は、後述するようにして、アキュムレータ２に流出されることになる。
【００２４】
つぎに、アキュムレータ２は、このアキュムレータ２と伸縮体１とを連結させるハウジング部２１の言わば一端側に形成されてなるとするもので、フリーピストン２２で画成されるガス室Ｇと油室Ｒ１を有してなる。
【００２５】
このとき、ハウジング部２１は、上記したように、一端側にアキュムレータ２を一体に有しながら、他端側が伸縮体１の端部部材、すなわち、図示するところでは、伸縮体１の下端部材とされるボトム部材２３を形成するとしている。
【００２６】
ちなみに、このボトム部材２３は、シリンダ体１１の下端開口を液密構造下に閉塞するとしており、しかも、自転車における後輪側となる軸の貫通を許容するアイ２４を有してなるとしている。
【００２７】
このように、ハウジング部２１がアキュムレータ２とアイ２４を一体に有してなるとすることで、この油圧緩衝器の自転車への架装にあって、アキュムレータ２の配設位置を一定化し得ることになる。
【００２８】
一方、ハウジング部２１は、伸縮体１内たるシリンダ体１１内のピストン側室Ｒとアキュムレータ２内たる油室Ｒ１とを連通する作動油の流路（符示せず）を形成してなるとしている。
【００２９】
それゆえ、アキュムレータ２にあっては、伸縮体１が伸長作動するときにピストン側室Ｒで不足することになる量の作動油の流路を介しての補充と、伸縮体１が収縮作動するときにピストン側室Ｒで余剰となる量の作動油の流路を介しての吸収を可能にすることになる。
【００３０】
ところで、この発明にあって、上記のハウジング部２１における作動油の流路には、伸縮体１の収縮作動時に所定のクラッキング圧になると開放作動して伸縮体１内の作動油のアキュムレータ２内への流入を許容する圧側減衰バルブ３が配設されてなると共に、ハウジング部２１における流路に圧側減衰バルブ３を迂回してアキュムレータ２に連通するバイパス路Ｌが形成されてなり、このバイパス路Ｌにこのバイパス路Ｌの開閉を可能にする開閉弁４が配設されてなると共に、この開閉弁４が外部信号の入力で作動するとしている。
【００３１】
そこで、まず、圧側減衰バルブ３について説明すると、この圧側減衰バルブ３は、図示する実施形態では、図２に示すように、上記の流路を伸縮体１側とアキュムレータ２側とに画成する画成部材たるバルブシート部材３１に開穿の流路たる圧側ポート３１ａの下流側端を開閉可能に閉塞するとしている。
【００３２】
そして、上記のバルブシート部材３１は、上記の圧側ポートに並行する流路たる伸側ポート３１ｂを併せて開穿させていて、この伸側ポート３１ｂの下流側端を開閉可能に閉塞して上記の圧側減衰バルブ３に直列することになる圧側チェック弁３２を有している。
【００３３】
ちなみに、図示する実施形態にあって、圧側ポート３１ａの上流側端および伸側ポート３１ｂの上流側端は、それぞれ常時開放状態に維持されている。
【００３４】
それゆえ、上記の圧側減衰バルブ３および圧側チェック弁３２を有するいわゆる減衰部にあっては、伸縮体１内から流出される作動油における油圧が圧側減衰バルブ３におけるクラッキング圧を超える油圧にあるとき、圧側減衰バルブ３が開放作動して所定の圧側減衰力を発生することになる。
【００３５】
そして、上記の減衰部にあっては、伸縮体１内がアキュムレータ２側に比較して負圧傾向になるとき、圧側チェック弁３２が開放作動してアキュムレータ２からの作動油の伸縮体１内への流入を許容して、伸縮体１における負圧化現象の発現を阻止することになる。
【００３６】
ところで、上記の圧側減衰バルブ３におけるクラッキング圧についてであるが、図示するところでは、圧側減衰バルブ３を迂回するバイパス路Ｌにおける伸縮体１内側となる開閉弁４の上流側に配設の絞り構造(符示せず)で設定されてなるとしている。
【００３７】
すなわち、図示する実施形態にあって、上記したバルブシート部材３１は、言わば流路の軸芯部に配設されるセンターロッド３３の外周に介装されてこの流路を伸縮体１側とアキュムレータ２側とに画成しているが、このバルブシート部材３１を外装させるセンターロッド３３は、軸芯部に伸縮体１側に開口する透孔３３ａを有していて、この透孔３３ａのアキュムレータ２側となる開口端を絞り構造で絞り流路にするとしている。
【００３８】
このとき、絞り構造は、図示する実施形態では、尖端が透孔３３ａにおけるアキュムレータ２側の開口の内側に臨在されるニードル体５を有してなり、このニードル体５がその背後側に連繋されるアジャスタ５１の回動操作によって図中で左右方向に移動するように進退するとしている。
【００３９】
ちなみに、アジャスタ５１は、ディテント機構５２を有していて、アジャスタ５１の回動操作にいわゆるメリハリをつけることで、ニードル体５の進退量を認識できるように配慮されている。
【００４０】
それゆえ、上記の絞り構造によれば、伸縮体１側から透孔３３ａ内に流入する作動油における油圧がいわゆる低い場合には、ニードル体５の尖端周りに出現する絞り流路を介して作動油がバイパス路Ｌに流出することになり、この絞り流路を通過できないほどに伸縮体１側からの油圧が高くなる場合には、圧側減衰バルブ３が開放作動して作動油が流路に流出することになる。
【００４１】
そして、上記の絞り構造によれば、ニードル体５の尖端周りに出現する絞り流路における流路面積をニードル体５の透孔３３ａの開口に対する進退で変更できるから、圧側減衰バルブ３のクラッキング圧以下となる作動領域の乗り心地をいわゆるハード仕様にするかソフト仕様にするかの選択を可能にし得ることになる。
【００４２】
一方、開閉弁４は、上記の絞り構造によって現出される絞り流路に通じるバイパス路Ｌの開閉を可能にするもので、図示する実施形態では、ハウジング部２１に出没可能な状態に保持されると共に、ソレノイド４１（図１参照）への外部信号の入力たる通電によって前進し、ソレノイド４１への外部信号の入力たる通電の解除で後退するニードル体４２を有してなり、このニードル体４２が前進時にバイパス路Ｌを閉鎖するとしている。
【００４３】
このとき、ソレノイド４１に入力される外部信号についてであるが、およそ周知のものが適用されて良く、たとえば、自転車のライダーによる手動操作に起因する設定としても良いが、自転車のライダーによるペタリング動作に起因する設定とするとき、自転車におけるスタートダッシュ時などの急加速時におけるスクウォート現象の発現を阻止し効果的に実現し得ることになる。
【００４４】
それゆえ、以上のように形成された開閉弁４にあっては、これがバイパス路Ｌを閉鎖することで、伸縮体１からの作動油の油圧が圧側減衰バルブ３のクラッキング圧を超えることになる迄の間、伸縮体１からの作動油は、アキュムレータ２内に流入し得ないことになり、したがって、伸縮体１を収縮作動し得ない状態にして、いわゆるロック状態を現出し得ることになる。
【００４５】
このとき、この発明にあって、開閉弁４は、圧側減衰バルブ３のクラッキング圧を超えない油圧下にあるバイパス路Ｌを閉塞するとするから、この開閉弁４が圧側減衰バルブ３とアキュムレータ２とを連通する流路を、すなわち、バイパス路Ｌと比較すれば高圧下となる流路を直接閉鎖する場合に比較して、開閉弁４の構成をより小さくできると共に、開閉弁４の作動をより小さい外力作用で具現化できることになる利点がある。
【００４６】
一方、伸縮体１が上記のいわゆるロック状態にあるときに、たとえば、自転車が路面突起を乗り越えるなどでして突き上げ作用を受ける場合には、伸縮体１における油圧が圧側減衰バルブ３のクラッキング圧を超えることになり、したがって、圧側減衰バルブ３が開放作動して、すなわち、リリーフ作動して伸縮体１からの作動油をアキュムレータ２に流出させる、すなわち、伸縮体１が突き上げによる衝撃を緩和することになる。
【００４７】
ところで、路面突起を乗り越えることによる衝撃緩和に関してだが、前記した特許文献１に開示の気体ばねにあっては、収縮作動で突起の乗り越えによる突き上げを吸収し得ることになるが、突き上げ力がなくなった時点で収縮されていた気体が膨張するから、いわゆる反動として跳ね上げ動作が発現されることになり、却って乗り心地を悪くすることが危惧されることになる。
【００４８】
その点、この発明では、いわゆる減衰作用で突起乗り越え時の突き上げに対処するから、反動としての突き上げ感をライダーに体感させることがなく、乗り心地を良好にすることが可能になる。
【００４９】
そして、この突き上げ感を体感させないようにするために、上記したところに加えて、バイパス路Ｌにおけるいわゆる高圧化で開閉弁４におけるニードル体４２がソレノイド４１の励磁力に抗して後退し得るように設定して、バイパス路における高圧を、すなわち、伸縮体１側における高圧をいわゆるリリーフ作動する開閉弁４を介してアキュムレータ２に開放し得るように設定するとしても良く、この場合には、前記した圧側減衰バルブ３におけるリリーフ作動に加えていわゆるダブルのリリーフ機能を有すると言い得ることになる。
【００５０】
前記したところは、伸縮体１を構成するシリンダ体１１が車輪側部材とされて油圧緩衝器がいわゆる正立型とされてなるとしているが、この発明が意図するところからすれば、また、アキュムレータ２がフリーピストン２２を有して気液を分離する構造に形成されてなることからすれば、シリンダ体１１が車体側部材とされて油圧緩衝器が倒立型とされてなるとしても良いことはもちろんである。
【００５１】
そして、前記したところでは、この発明が二輪車たる自転車に具現化される場合を例にして説明したが、この発明が意図するところからすれば、この発明が二輪車たる自動二輪車に具現化されるとしても良いことはもちろんである。
【図面の簡単な説明】
【００５２】
【図１】この発明による二輪車における後輪懸架装置を構成する油圧緩衝器の下端側部を一部破断して示す部分縦断面図である。
【図２】油圧緩衝器を構成する伸縮体の下端部とアキュムレータとの連結部分たるハウジング部の一実施形態を示す部分拡大縦断面図である。
【符号の説明】
【００５３】
１  伸縮体
２  アキュムレータ
３  圧側減衰バルブ
４  開閉弁
５  絞り構造を構成するニードル体
１１  シリンダ体
２１  ハウジング部
２３  ボトム部材
３２  圧側チェック弁
４２  開閉弁を構成するニードル体
Ｌ  バイパス路
Ｒ  ピストン側室
【図１】
0004768503.tif 000002
【図２】
0004768503.tif 000003